(57)【要約】      （修正有）【課題】圧縮状態で保存され、災害時に有用な非常品の減容品セットを提供する。【解決手段】少なくとも１個の減容非常品３を含む製品本体２と、鏡面板６と、鏡面板６と製品本体２を一体的に包んだ包装フィルム７と、から成る。減容非常品３は、互いに平行な上面２ｂ及び下面と、上面２ｂ及び下面と直交する筒面２ｃとからなる形状に圧縮成形されており、上面２ｂには鏡面板６を嵌める低所部５を有する。【選択図】図１
0003172688.tif 000002
【実用新案登録請求の範囲】
【請求項１】
下面（２ａ），及び鏡面板（６）のサイズに合致した低所部（５）を有する上面（２ｂ）と，からなる平行平面と，上面（２ｂ）及び下面（２ａ）と直交する筒面（２ｃ）とからなる形状に圧縮成形したところの，少なくとも１個の減容した非常品（３）を含む製品本体（２）と、前記低所部に嵌めた鏡面板（６）と、鏡面板を嵌めた製品本体を一体的に包んだ包装フィルム（７）と、から成ることを特徴とする非常品の減容品セット。
【請求項２】
鏡面板（６）が長方形であることを特徴とする請求項１に記載の非常品の減容品セット。
【考案の詳細な説明】
【技術分野】
【０００１】
本考案は、通常は圧縮状態で保存され、震災や台風等の災害に見舞われた際に、圧縮状態を解除して使用することのできるタオルや軍手などの非常品の減容品セットに関するものである。
【背景技術】
【０００２】
震災や台風等の災害に見舞われて緊急避難する場合、迅速な行動が要求されるため、非常時において必要な物を持ち出すことが困難である。例えば、避難場所等においても、タオルは洗顔などに必要であり、軍手は倒木などを片付けるのに必要であるが、それらも満足に持ち出せない場合が多い。また、非常時においては、これら以外にも、特定の人にとって必要な物もある。
【０００３】
こうした点を考慮して、非常時における連絡先や避難場所などの重要事項を記載したシートを備えた非常品の減容品セットであり、特に一人暮らしの老人などにきわめて有用である。（特許文献１）
【先行技術文献】
【特許文献】
【０００４】
【特許文献１】実用新案登録第３１１７４９０号
【考案の概要】
【考案が解決しようとする課題】
【０００５】
本考案は、顔の傷を見たり、遭難場所を知らせる機能を備えた鏡面板を備えた非常品の減容品セットを提供することを課題とする。
【課題を解決するための手段】
【０００６】
図面を参考にして説明する。請求項１に記載の非常品の減容品セットは、下面２ａ，及び鏡面板６のサイズに合致した低所部５を有する上面２ｂと，からなる平行平面と，上面２ｂ及び下面２ａと直交する筒面２ｃとからなる形状に圧縮成形したところの，少なくとも１個の減容非常品３を含む製品本体２と、前記低所部５に嵌めた鏡面板６と、鏡面板６を嵌めた製品本体２を一体的に包んだ包装フィルム７と、から成るものである。
【０００７】
請求項２に記載の考案は、請求項１に記載の非常品の減容品セットにおいて、鏡面板６が長方形であることを特徴とするものである。
【考案の効果】
【０００８】
請求項１に記載の非常用品の減容品セット１は、非常品４を圧縮固化して形成した減容非常品３の上面に低所部５を形成した製品本体２と、低所部５に収納され、鏡として使用できる鏡面板６とを備えるので、震災や台風などの非常時にきわめて有用である。
【０００９】
すなわち、非常時において、減容非常品３を解し、もとの形状に戻して使用することができる。また、鏡面板６は、鏡として使用することができるので、例えば、顔に負った傷などを確認するのに有用である。また、この鏡面板６は、遭難した場合に、太陽光などを反射させてその遭難場所を周囲に知らせる道具として使用することができる。
【００１０】
請求項２に記載の考案は、請求項１に記載の考案の効果に加え、鏡面板６が長方形なので、大きな一枚の板状物を切断して作る場合、材料屑が発生しないので、経済的に制作できる。
【図面の簡単な説明】
【００１１】
【図１】本考案に係る非常品の減容品セットの第一実施形態を示す斜視図である。
【図２】図１のＸ−Ｘ線断面図である。
【図３】図１のＹ−Ｙ線断面図である。
【図４】本考案に係る非常品の減容品セットの第二実施形態を示す斜視図である。
【図５】図４のＺ−Ｚ線断面図である。
【考案を実施するための形態】
【００１２】
本考案にかかる非常品の減容品セットの第一実施形態を、図１乃至図３に示す。これは、製品本体２、鏡面板６および包装フィルム７とで構成される。製品本体２は、非常品４であるタオル４ｂ，手袋（軍手）４ａ等を金型によって圧縮固化して形成した減容非常品３と、その減容非常品３を形成する際に前記金型によって形成された低所部５を備える。なお、非常品４は、タオル４ｂ，手袋４ａ等に限定されない。
【００１３】
本実施形態における製品本体２は、平面形状が、長方形の左右両端部を半円状とした長尺状であり、その上面２ｂに低所部５を有する。なお、製品本体２の形状は、平面長方形に限定されない。
【００１４】
減容非常品３を形成するタオル４ｂは、避難場所等において洗顔などに使用することができ、また、手袋４ａは災害の後片付けなどに使用することができるので、きわめて有用である。
【００１５】
本実施形態における低所部５は、その大きさ（長さＭ，幅Ｎ，高さＨ）が、鏡面板６（長さｍ，幅ｎ，高さｈ）がほぼ隙間なく収納される程度に設定され、その高さが、鏡面板６が製品本体２の上面２ｂから突出しない程度、すなわち、製品本体２の上面と、鏡面板６の上面とがほぼ面一になる程度に設定されている。これにより、鏡面板６が製品本体２から突出しないので、例えば、鏡面板６の角で指を傷つけてしまうといった事態を未然に防止することができる。
【００１６】
この鏡面板６は、上述のように低所部５に収納されるものであり、本実施形態では平面長方形で、高さが約１ｍｍ程度の肉薄に設定されている。なお、鏡面板６の平面形状や高さは限定されない。
【００１７】
また、この鏡面板６は、上面が光沢のある銀紙で形成された紙で構成される。鏡面板６を紙製とすることで、使用者を傷つけることがなく、よって安全性が高い。なお、鏡面板６の材質は限定されず、例えば、ステンレス板などで構成することもできる。
【００１８】
この鏡面板６は、例えば、顔を写して怪我の状態を把握するなど、通常の鏡として使用することができる。さらに、遭難した場合には、太陽光などを反射させてその位置を周囲に知らせる道具として使用することができる。
【００１９】
包装フィルム７は、製品本体２と鏡面板６とを一体的に包むものであり、本実施形態では、透明で肉薄のビニールシートで構成し、鏡面板６を製品本体２に一体的かつ密接に組み付けている。従って、製品本体２と鏡面板６とを一体物とすることができるので、その取り扱いを容易に行うことができる。
【００２０】
本考案に係る非常品の減容品セット１の第二実施形態を、図４および図５に示す。これは、製品本体２、鏡面板６および包装フィルム７を備える。製品本体２は、非常品４であるタオル４ｂと手袋４ａを、その間に巾着袋４ｃを挟んだ状態で圧縮固化して減容非常品３を形成し、その減容非常品３の表面に低所部５を形成したものである。そして、低所部５には鏡面板６を装着する。なお、非常品４は、タオル４ｂ，手袋４ａや巾着袋４ｃに限定されない。
【００２１】
本実施形態の製品本体２は、平面円形であり、その上面に正方形の低所部５を備える。この低所部５の大きさは鏡面板６とほぼ同じに形成され、その高さも鏡面板６とほぼ同じに設定されている。これにより、鏡面板６を製品本体２から突出させることなく低所部５に収納することができる。
【００２２】
製品本体２を形成するタオル４ｂと手袋４ａ，巾着袋４ｃは、第一実施形態の場合と同様に、洗顔や後片付けなどに使用することができる。
【００２３】
鏡面板６は、低所部５に収納され、鏡として使用できると共に、遭難場所を周囲に知らせる道具としても使用することができる。また、包装フィルム７は、製品本体２と鏡面板６とを一体的に包むので、その取り扱いが容易となる。
【符号の説明】
【００２４】
１      非常品の減容品セット
２      製品本体
２ａ    下面
２ｂ    上面
２ｃ    筒面
３      減容非常品
４      非常品
４ａ    手袋
４ｂ    タオル
４ｃ    巾着袋
５      低所部
６      鏡面板
７      包装フィルム
Ｈ，ｈ  高さ
Ｍ，ｍ  長さ
Ｎ，ｎ  幅
【図１】
0003172688.tif 000003
【図２】
0003172688.tif 000004
【図３】
0003172688.tif 000005
【図４】
0003172688.tif 000006
【図５】
0003172688.tif 000007